(57)【要約】【課題】ユーザの使用実態に合わせてモードの移行を制御することができ、必要な場合にのみ作動待機状態にして、起動時間を短縮することができるとともに、良好に消費電力を抑制することができる電気機器、電気機器システム、及び給電制御方法を提供する。【解決手段】ＴＶ受像機１のＣＰＵ２７は、リモコン受光部２６及び外部入力部１１に使用情報が入力された場合、入力時間と、使用情報に基づいて定まる使用回数とをメモリ２７ａのモードテーブルに記憶する。ＣＰＵ２７は、モードテーブルに記憶された使用回数に基づき、モード「０」、「１」、「２」を設定する。モード「０」では、ＣＰＵ２７、ＯＰＣセンサ２９、人感センサ２８、外部入力部１１、ＲＡＭ２４、リモコン受光部２６、タイマ３２に給電し、モード「１」ではデジタル放送の信号処理に必要な機能部へ給電し、モード「２」では液晶表示部２、スピーカ３以外の各機能部へ給電する。【選択図】図２
2011211864.tif 000002
【特許請求の範囲】
【請求項１】
複数の機能部と、所定の機能部へ給電して作動させる作動状態、該所定の機能部へ給電する前に所要の機能部へ給電する作動待機状態、及び該作動待機状態より給電される機能部の数が少ない省電力状態間の移行を制御する制御手段とを備える電気機器において、
前記所定の機能部の作動又は不作動を推定する作動推定情報を含む作動情報が入力される作動情報入力手段と、
該作動情報入力手段により前記作動情報が入力された場合に、入力された入力時間を特定し、前記作動情報に基づいて定まる作動回数とともに記憶する記憶手段と
を備え、
前記制御手段は、
前記記憶手段により記憶された入力時間及び作動回数に基づいて、前記作動待機状態及び省電力状態間の移行を制御するように構成してあることを特徴とする電気機器。
【請求項２】
所定範囲内にいる人の存在を検知する人検知手段及び／又は所定範囲内の明るさを検出する明るさ検出手段を備え、
前記作動情報入力手段は、前記人検知手段及び／又は明るさ検出手段により前記作動推定情報が入力されることを特徴とする請求項１に記載の電気機器。
【請求項３】
前記作動情報入力手段は、前記所定の機能部の作動又は作動停止の指示が前記作動情報として入力されることを特徴とする請求項１又は２に記載の電気機器。
【請求項４】
前記記憶手段は、作動情報が入力された入力曜日を特定して記憶し、
前記制御手段は、
前記記憶手段により記憶された入力曜日及び入力時間に基づいて、前記作動待機状態及び省電力状態間の移行を制御することを特徴とする請求項１から３までのいずれか１項に記載の電気機器。
【請求項５】
所定の期間に亘って、所定の時間毎に、前記記憶手段に記憶された作動回数を計数する計数手段を備え、
前記制御手段は、前記計数手段により計数された作動回数に応じて、前記所定の時間毎に、省電力状態と、給電される機能部数が大小異なる複数の作動待機状態との移行を制御することを特徴とする請求項１から４までのいずれか１項に記載の電気機器。
【請求項６】
入力時間から所定の期間が経過した作動回数を、計数された作動回数から減算する手段を備えることを特徴とする請求項５に記載の電気機器。
【請求項７】
請求項１から６までのいずれか１項に記載の電気機器と、
該電気機器から所定範囲内の空間に配置されている１又は複数の他の電気機器と
を備える電気機器システムであって、
前記作動情報入力手段は、前記他の電気機器の使用又は不使用を示す情報を前記作動推定情報として入力されることを特徴とする電気機器システム。
【請求項８】
請求項１から６までのいずれか１項に記載の電気機器を備え、
該電気機器から所定範囲内の空間に設けられた窓及び／又はドアの施錠の有無がネットワークを介して前記電気機器に入力されるように構成されている電気機器システムであって、
前記作動情報入力手段は、前記施錠の有無が前記作動推定情報として入力されることを特徴とする電気機器システム。
【請求項９】
電気機器の所定の機能部へ給電して該所定の機能部を作動させる作動状態、該所定の機能部へ給電する前に所要の機能部へ給電する作動待機状態、及び該作動待機状態より給電される機能部の数が少ない省電力状態間の移行を制御する制御手段により制御する制御ステップを有する給電制御方法において、
前記所定の機能部の作動又は作動停止の指示、及び該所定の機能部の作動又は不作動を推定する作動推定情報を含む作動情報を得た時間を特定して、前記作動情報に基づいて定まる作動回数とともに記憶する記憶ステップを有し、
前記制御ステップは、
前記記憶ステップにより記憶された前記時間及び作動回数に基づいて、作動待機状態及び省電力状態間の移行を制御することを特徴とする給電制御方法。
【発明の詳細な説明】
【技術分野】
【０００１】
本発明は、消費電力が抑制された省電力モード及び起動時間を短縮するためのクイック起動モードを有する電気機器、電気機器システム、及び給電制御方法に関する。
【背景技術】
【０００２】
例えばデジタル放送を受信することができるテレビジョン受像機（以下、ＴＶ受像機という）は、一定量のデータを蓄積して映像を生成する性質上、映像を表示するまでに時間を要する。これを解決するために、ＴＶ受像機のメイン電源スイッチがオンであり、リモートコントロール装置（以下、リモコンという）の電源スイッチがオフである（主電源がオフであり、副電源がオンである）場合、常に映像表示以前の信号処理を行う状態（以下、クイック起動モードという）にしておき、リモコンのスイッチがオンされ、主電源が投入された場合に表示部にのみ給電することで起動時間を短縮し、直ちに映像を表示するように構成されたＴＶ受像機が存在する。しかし、ＣＰＵ等の必要最小限の機能部にのみ給電する完全スタンバイモードと比較してクイック起動モードは動作モジュールが多い分、電力を多く消費する。近年、地球温暖化等の問題が一般的に認識されるようになり、エコロジーの意識が浸透してきている。そのため、クイック起動を実現しつつ、消費電力を抑えてＣＯ2 削減を図ることが要求されている。
【０００３】
特許文献１には、使用状況に合わせて消費電力を低減することができる電気機器の発明が開示されている。特許文献１のＤＶＤレコーダにおいては、ＣＰＵが、操作部又はリモコン受光部から電源オンの操作を受け付けた時刻を記憶しておき、前記時刻の前後３０分の時間帯をクイック起動モードに設定するように構成されている。
【先行技術文献】
【特許文献】
【０００４】
【特許文献１】特開２００７−１３５３５４号公報
【発明の開示】
【発明が解決しようとする課題】
【０００５】
特許文献１の電気機器をＴＶ受像機に適用した場合、ＴＶ受像機の主電源オン（リモコンのスイッチオン）操作等の受付時間に基づく使用状況によってクイック起動モードが設定されることになる。しかし、上述したように一度主電源を切り、次に主電源を投入した場合、映像表示までに時間を要することもあり、電源が入っている状態で調理及び入浴等のためにＴＶ受像機の側を離れる等、実際に番組を視聴していないことも多く、すなわち、ＣＰＵが推定する使用時間帯にユーザが視聴していないことがあり、無駄に電力が消費される虞があるという問題があった。
【０００６】
本発明は、斯かる事情に鑑みてなされたものであり、ユーザの使用実態により近似させて作動待機状態（クイック起動モード）及び省電力状態間の移行を制御することができ、必要な場合にのみ作動待機状態にして、起動時間を短縮することができるとともに、良好に消費電力を抑制することができる電気機器、電気機器システム、及び給電制御方法を提供することを目的とする。
【課題を解決するための手段】
【０００７】
本発明に係る電気機器は、複数の機能部と、所定の機能部へ給電して作動させる作動状態、該所定の機能部へ給電する前に所要の機能部へ給電する作動待機状態、及び該作動待機状態より給電される機能部の数が少ない省電力状態間の移行を制御する制御手段とを備える電気機器において、前記所定の機能部の作動又は不作動を推定する作動推定情報を含む作動情報が入力される作動情報入力手段と、該作動情報入力手段により前記作動情報が入力された場合に、入力された入力時間を特定し、前記作動情報に基づいて定まる作動回数とともに記憶する記憶手段とを備え、前記制御手段は、前記記憶手段により記憶された入力時間及び作動回数に基づいて、前記作動待機状態及び省電力状態間の移行を制御するように構成してあることを特徴とする。
【０００８】
本発明においては、所定の機能部の作動又は不作動を推定する作動推定情報（使用推定情報）を含む作動情報（使用情報）に基づき推定されるユーザの推定使用時間帯に応じて状態（モード）を制御する。推定使用時間帯が実際の使用時間帯により近似しているので、推定使用時間帯の前に作動待機状態（クイック起動モード）に移行させ、推定使用時間帯の後に省電力状態に移行させることにより、必要な場合にのみクイック起動モードにして、起動時間を短縮することができるとともに、良好に消費電力を抑制することができる。
【０００９】
本発明に係る電気機器は、所定範囲内にいる人の存在を検知する人検知手段及び／又は所定範囲内の明るさを検出する明るさ検出手段を備え、前記作動情報入力手段は、前記人検知手段及び／又は明るさ検出手段により前記作動推定情報が入力されることを特徴とする。
【００１０】
本発明においては、電気機器からの所定範囲内に人が所定時間動かずに存在することを検知し、又は夜の時間帯等に所定範囲内で所定時間、所定量の明るさが得られることを検知した場合に、ユーザが所定時間、電気機器を使用していると推定してモードを制御する。従って、より使用実態に合わせてモード制御を行うことができる。
【００１１】
本発明に係る電気機器は、前記作動情報入力手段は、前記所定の機能部の作動又は作動停止の指示が前記作動情報として入力されることを特徴とする。
【００１２】
本発明においては、所定の機能部の作動又は作動停止の指示（機器の使用又は使用停止の指示）が作動情報として入力されるので、機器の使用時間帯の推定の精度がより向上し、より使用実態に合わせてモード制御を行うことができる。
【００１３】
本発明に係る電気機器は、前記記憶手段は、作動情報が入力された入力曜日を特定して記憶し、前記制御手段は、前記記憶手段により記憶された入力曜日及び入力時間に基づいて、前記作動待機状態及び省電力状態間の移行を制御することを特徴とする。
【００１４】
本発明においては、曜日によりユーザの使用状況が異なるような場合に（例えば、月曜日から金曜日と、土曜日又は日曜日とで使用時間帯が異なるような場合）、使用状況に合わせてきめ細かく使用時間帯を推定してモードを制御するので、消費電力をさらに低減することができるとともに、使用したい時に直ちに起動させることができる。
【００１５】
本発明に係る電気機器は、所定の期間に亘って、所定の時間毎に、前記記憶手段に記憶された作動回数を計数する計数手段を備え、前記制御手段は、前記計数手段により計数された作動回数に応じて、前記所定の時間毎に、省電力状態と、給電される機能部数が大小異なる複数の作動待機状態との移行を制御することを特徴とする。
【００１６】
本発明においては、所定の期間、所定の時間帯毎に使用回数を計数し、計数された使用回数に応じて、前記時間帯で給電可能な機能部の数の大小を制御する。すなわち、使用回数が低い場合、給電される機能部の数を減じて消費電力をより低減させることができ、使用回数が高い場合、給電される機能部の数を多くして起動時間をより短縮することができる。ユーザのライフスタイルに合わせて作動待機状態と省電力状態とが設定されるため、ユーザの使用感を向上させることができる。
【００１７】
本発明に係る電気機器は、入力時間から所定の期間が経過した作動回数を、計数された作動回数から減算する手段を備えることを特徴とする。
【００１８】
本発明においては、計数された作動回数から、入力時間から所定の期間が経過した作動回数を減算することにより、ユーザの使用状況が変化した場合であっても、作動回数に応じて消費電力を低減するとともに、起動時間をさらに短縮することができる。そして、継続使用するに従い、ユーザのライフスタイルに合わせて作動待機状態と省電力状態とが設定されるため、ユーザの使用感をさらに向上させることができる。
【００１９】
本発明に係る電気機器システムは、前述の電気機器と、該電気機器から所定範囲内の空間に配置されている１又は複数の他の電気機器とを備える電気機器システムであって、前記作動情報入力手段は、前記他の電気機器の使用又は不使用を示す情報を前記作動推定情報として入力されることを特徴とする。
【００２０】
本発明においては、他の電気機器の使用又は不使用を示す情報に基づきユーザの使用時間帯が推定される。他の電気機器として例えば別室のＰＣ（パーソナルコンピュータ）等があり、該ＰＣが使用されている場合は、当の電気機器は使用されていないことになり、前記情報に基づき、より使用実態に合わせてモード制御を行うことができる。
【００２１】
本発明に係る電気機器システムは、前述の電気機器を備え、該電気機器から所定範囲内の空間に設けられた窓及び／又はドアの施錠の有無がネットワークを介して前記電気機器に入力されるように構成されている電気機器システムであって、前記作動情報入力手段は、前記施錠の有無が前記作動推定情報として入力されることを特徴とする。
【００２２】
本発明においては、例えば窓及び／又はドアが施錠されたという情報を入力され、全ての居室の照明器具の電源がオフであるという情報を入力された場合にユーザが不在又は就寝中であると推定し、電気機器が不使用であると推定してモードを制御する。従って、モード制御が使用実態により合致することになる。
【００２３】
本発明に係る給電制御方法は、電気機器の所定の機能部へ給電して該所定の機能部を作動させる作動状態、該所定の機能部へ給電する前に所要の機能部へ給電する作動待機状態、及び該作動待機状態より給電される機能部の数が少ない省電力状態間の移行を制御する制御手段により制御する制御ステップを有する給電制御方法において、前記所定の機能部の作動又は作動停止の指示、及び該所定の機能部の作動又は不作動を推定する作動推定情報を含む作動情報を得た時間を特定して、前記作動情報に基づいて定まる作動回数とともに記憶する記憶ステップを有し、前記制御ステップは、前記記憶ステップにより記憶された前記時間及び作動回数に基づいて、作動待機状態及び省電力状態間の移行を制御することを特徴とする。
【００２４】
本発明においては、所定の機能部の作動又は作動停止の指示、及び該所定の機能部の作動又は不作動を推定する作動推定情報を示す作動情報に基づき推定されるユーザの推定使用時間帯に応じてモードを制御する。従って、推定使用時間帯が実際の使用時間帯により近似しているので、推定使用時間帯の前に作動待機状態に移行させ、推定使用時間帯の後に省電力状態に移行させることにより、必要な場合にのみ作動待機状態にして、起動時間を短縮することができるとともに、良好に消費電力を抑制することができる。
【発明の効果】
【００２５】
本発明によれば、所定の機能部の作動又は不作動を推定する作動推定情報を含む作動情報に基づき推定されるユーザの推定使用時間帯に応じて状態（モード）を制御するので、ユーザの使用実態により合致させて作動待機状態及び省電力状態間の移行を制御することができる。すなわち、必要な場合にのみ作動待機状態にして、起動時間を短縮することができるとともに、良好に消費電力を抑制することができる。
【図面の簡単な説明】
【００２６】
【図１】本発明の実施の形態１に係る電気機器としてのＴＶ受像機を示す斜視図である。
【図２】ＴＶ受像機及び電気機器システムの構成を示すブロック図である。
【図３】使用情報の受付を説明するための図である。
【図４】使用情報に基づく使用回数の計数を説明するための図である。
【図５】モードテーブルの構成を示す説明図である。
【図６】ＣＰＵによるモード設定の処理手順を示すフローチャートである。
【図７】ＣＰＵによるモードテーブル更新の処理手順を示すフローチャートである。
【図８】ＣＰＵによる電力供給の処理手順を示すフローチャートである。
【図９】ユーザの月曜日の平均的なＴＶ受像機の使用状況を示すグラフである。
【図１０】前記ユーザの月曜日の使用状況に基づいて得られたモードテーブルによりモード制御を行う場合の設定例（実施例）及び使用時間帯以外はクイック起動モードに設定する場合の設定例（比較例）を示すグラフである。
【発明を実施するための形態】
【００２７】
以下、本発明をその実施の形態を示す図面に基づき具体的に説明する。
実施の形態１．
図１は、本発明の実施の形態１に係る電気機器としてのＴＶ受像機１を示す斜視図、図２はＴＶ受像機１及び電気機器システム１０の構成を示すブロック図である。
ＴＶ受像機１は、液晶表示部２、スピーカ３、アナログ放送用アンテナ４、アナログチューナ部５、ＡＶスイッチ部６、デジタル放送用アンテナ７、デジタルチューナ部８、デジタル復調部９、外部入力部１１、ＩＰ放送チューナ部１２、分離部（ＤＭＵＸ：デマルチプレクサ）１３、ビデオデコード／キャプチャ部１４、ビデオセレクタ部１５、映像処理部１６、合成部１７、表示制御部１８、ＥＰＧ（Electronic Program Guide）／ＯＳＤ（On-Screen Display）／予約処理部１９、選局部２０、オーディオデコード部２１、オーディオセレクタ部２２、音声出力変換部２３、ＲＡＭ２４、通信制御部２５、リモコン受光部２６、メモリ２７ａを有するＣＰＵ２７、人感センサ２８、ＯＰＣ（ＲＧＢ）センサ（明るさセンサ）２９、及びリモコン３０、記録／再生部３１、及びタイマ３２を備える。
図１に示すように、人感（熱）センサ２８及びＯＰＣセンサ２９はＴＶ受像機１の前面の右側下端部に備えられている。人感（熱）センサ２８及びＯＰＣセンサ２９はＴＶ受像機１の外部機器として備えるものであってもよい。
【００２８】
電気機器システム１０は、ＴＶ受像機１に、外部機器３３として、空調機５４、ＰＣ５７、照明器具５５，５６，５８（図３参照）、並びにＢＤレコーダ及びＤＶＤレコーダ等の録画装置等を、ネットワーク等を介し接続してなる。各電気機器の使用又は不使用を示す使用情報（ＴＶ受像機１の使用推定情報）がＣＰＵ２７へ入力されるように構成されている。そして、ドア５９及び窓の施錠の有無の情報もネットワーク等を介してＣＰＵ２７へ入力されるように構成されている。
【００２９】
アナログチューナ部５は、アナログ放送用アンテナ４により受信された放送信号の中から選局部２０の選局指示に対応する放送信号を選択して、ＡＶスイッチ部６へ出力する。
ＡＶスイッチ部６は、アナログチューナ部５から入力された放送信号から音声データ及びビデオデータを抽出し、抽出した音声データをオーディオセレクタ部２２へ出力し、ビデオデータをビデオセレクタ部１５へ出力する。
【００３０】
デジタルチューナ部８は、デジタル放送用アンテナ７により受信された放送信号の中から選局部２０の選局指示に対応するデジタル放送の放送信号を選択して、デジタル復調部９へ出力する。デジタル復調部９は、デジタルチューナ部８から入力された放送信号を多重化されたトランスポートストリーム（ＴＳ）信号へデジタル復調し、得られたＴＳ信号を分離部１３へ出力する。
【００３１】
ＩＰ放送チューナ部１２は、ＬＡＮから入力されて分離されたＵＤＰデータを入力され、ネットワークパケットからＴＳパケットへ変換し、ビデオ・音声ストリーム、及びＳＩ（番組配列情報：サービスインフォメーション）専用ストリームとして分離部１３へ出力する。
【００３２】
分離部１３は、デジタル復調部９及びＩＰ放送チューナ部１２から入力されたＴＳ信号をビデオデータ及び音声データそれぞれに分離する。また、分離部１３は放送信号からＥＰＧデータを抽出することも行う。分離部１３は、分離したビデオデータをビデオデコード／キャプチャ部１４へ、音声データをオーディオデコード部２１へ出力する。分離部１３によって抽出されたＥＰＧデータは、ＣＰＵ２７による書き込み制御によってメモリ２７ａに記録される。
【００３３】
ビデオデコード／キャプチャ部１４は、分離部１３によって分離されたビデオデータをデコードしたり、ビデオデータに含まれるビデオ情報を静止画としてキャプチャしたりする。ビデオデコード／キャプチャ部１４は、デコードしたビデオデータをビデオセレクタ部１５へ出力する。
ビデオセレクタ部１５は、アナログ放送のビデオ信号、デジタル放送のビデオ信号、及び外部機器３３から入力されるビデオ信号の切換を行う。切り換えられたビデオデータは、映像処理部１６へ出力される。映像処理部１６は、ビデオデータにつき所定の映像処理を行い、合成部１７へ出力する。合成部１７は、入力されたビデオデータを、ＥＰＧ／ＯＳＤ／予約処理部１９によって作成されたＥＰＧ、ＯＳＤデータと合成して表示制御部１８へ出力する。表示制御部１８は入力されたデータを液晶表示部２において表示できる形式であるビデオ出力信号に変換し、液晶表示部２へ出力する。
【００３４】
オーディオデコード部２１は、分離部１３によって分離された音声データをデコードし、デコードした音声データをオーディオセレクタ部２２へ出力する。
オーディオセレクタ部２２は、オーディオデコード部２１から入力された音声データの信号、及びＡＶスイッチ部６から入力された音声データの信号の切換を行う。切り換えられた音声データは、音声出力変換部２３によって、スピーカ３から出力できる形式のオーディオ出力信号に変換され、該スピーカ３へ出力される。
【００３５】
ＥＰＧ／ＯＳＤ／予約処理部１９は、メモリ２７ａに更新保存されたＥＰＧデータ（ＳＩ）に基づきＥＰＧを作成したり、ＲＡＭ２４に予め保存さているＯＳＤデータを描画したりする。ＯＳＤデータとは、予めＲＡＭ２４に用意された設定メニュー画面、ＰＯＰ表示画面、音量ケージ、現在時刻、選局チャンネル等の各種情報を描画するためのデータをいう。
ＥＰＧ／ＯＳＤ／予約処理部１９は、分離部１３で分離され、メモリ２７ａから入力されたＳＩを解析し、ＥＩＴ（イベント情報テーブル）を抽出する。次に、抽出したＥＩＴをもとにイベントリストを作成し、作成したイベントリストを参照してＥＰＧを作成する。
ＥＰＧ／ＯＳＤ／予約処理部１９は、作成したＥＰＧ、及び描画するＯＳＤデータを合成部１７へ出力する。また、ＥＰＧ／ＯＳＤ／予約処理部１９は、ＥＰＧを利用した番組の予約処理等も行う。
【００３６】
リモコン受光部２６は、リモコン３０から出力された光信号を受信してユーザからの制御指示を受付ける。
通信制御部２５は、外部機器３３との通信を制御する。通信制御部２５は、外部機器３３に対しては、電話回線、ＬＡＮ、インターネット，ホームネットワーク等のネットワーク網、又はＨＤＭＩ（High-Definition Multimedia Interface）ケーブル等を介して通信を確立させるように制御を行う。この外部機器３３との接続媒体は、上述したネットワーク網、またはＨＤＭＩケーブに限定されるものではない。
外部入力部１１は、外部機器３３から入力されたビデオデータ、音声データ及びＥＰＧデータをそれぞれビデオセレクタ部１５、オーディオセレクタ部２２、及びＥＰＧ／ＯＳＤ／予約処理部１９へ出力する。また、外部入力部１１を介し、記録／再生部３１と外部機器３３との間でビデオ信号及び音声信号が送受信される。そして、外部入力部１１には、外部機器３３の使用情報も入力される。
【００３７】
ＣＰＵ２７は、ＴＶ受像機１が備える各部の各種の制御を実行する。ＣＰＵ２７は、メモリ２７ａ又は不図示のハードディスク等に記録したプログラムをＲＡＭ２４に読み出し実行することで各種機能を実現することができる。
ＣＰＵ２７のメモリ２７ａは、書き換え可能な不揮発性のメモリであって、例えばフラッシュメモリ等によって実現される。このメモリ２７ａには、ＣＰＵ２７が読み出して各種制御を実行するためのプログラム等が記憶されている。上述したように、メモリ２７ａには、放送波を介して受信したＥＰＧデータ等の番組情報に関するデータも記憶され、後述するモードテーブルも記憶されている。
【００３８】
前記ＲＡＭ２４は、半導体素子を利用した記憶装置であって、いわゆる主記憶装置と呼ばれるものであり、ＣＰＵ２７から直接読み書きすることができる。
タイマ３２は、カレンダ機能及び時計機能を備え、現時点の年月日、曜日、時分秒を計時して、計時結果をＣＰＵ２７へ出力する。
【００３９】
人感センサ２８は、人体から発散される遠赤外線を感知する不図示の遠赤外線センシング部を備えており、ＴＶ受像機１の所定範囲内の遠赤外線の検知信号をＣＰＵ２７へ出力する。
ＯＰＣセンサ２９は、ＴＶ受像機１の設置位置の所定範囲内の明るさ（輝度）を検出してＣＰＵ２７へ出力する。ＣＰＵ２７は、検出した輝度に応じて液晶表示部２に備えるバックライトの輝度を調節する。
【００４０】
本実施の形態においては、ＣＰＵ２７は、ＴＶ受像機１全体の消費電力を複数の状態（モード）に区分して、電力消費量の低減と起動時間の短縮とを制御する。例えば、モード「０」（省電力モード：省電力状態）、モード「１」（クイック起動モード：作動待機状態１）、モード「２」（クイック起動モード：作動待機状態２）、モード「３」（通常モード：作動状態）により区分して制御し、起動時間の短縮及び省電力を図っている。
なお、作動待機状態は２種類である場合に限定されるものではなく、１種類であってもよく、３種類以上であってもよい。
【００４１】
ユーザはＴＶ受像機１を主にデジタル放送番組の視聴に用いているとする。
ＴＶ受像機１のメインスイッチがオンであり、リモコンのスイッチがオンである場合、ＴＶ受像機１の上述の各部へ給電されるモード「３」となる（不図示の主電源及び副電源がオンである）。
【００４２】
そして、ＴＶ受像機１のメインスイッチがオンであり、リモコンのスイッチがオフである（不図示の主電源がオフであり、副電源がオンである）場合、後述するようにしてＣＰＵ２７は、モード「０」、「１」、及び「２」のいずれかに設定する。
モード「０」においては、ＴＶ受像機１の外部入力部１１、ＲＡＭ２４、リモコン受光部２６、ＣＰＵ２７、人感センサ２８、ＯＰＣセンサ２９、及びタイマ３２に給電される。この場合、ＣＰＵ２７は例えば動作速度を減速させることにしてもよい。
【００４３】
モード「１」においては、デジタルチューナ部８、デジタル復調部９、分離部１３、ビデオデコード／キャプチャ部１４、ビデオセレクタ部１５、映像処理部１６、合成部１７、表示制御部１８、ＥＰＧ／ＯＳＤ／予約処理部１９、選局部２０、オーディオデコード部２１、オーディオセレクタ部２２、及び音声出力変換部２３に給電される。すなわち、デジタル放送信号の処理に必要な機能部に給電される。
モード「２」においては、液晶表示部２及びスピーカ３以外の各部へ給電される。
モード「１」又は「２」である場合にユーザによりリモコンのスイッチがオンされた場合、ＣＰＵ２７はモード「３」へ移行させる。このとき、少数の機能部、又は液晶表示部２及びスピーカ３にのみ給電することで全機能部がオン状態になるので、起動時間の短縮が図られ、直ちに液晶表示部２に映像を表示させることができる。
そして、モード「３」である場合にユーザによりリモコンのスイッチがオフされた場合、ＣＰＵ２７はモード「０」へ移行させる。
【００４４】
以下に、本発明に係る給電制御方法について説明する。
ＣＰＵ２７は、予め１日２４時間全ての時間帯につきモード「０」に初期設定しておく。ＣＰＵ２７は後述するように使用情報（作動情報）を入力された場合、タイマ３２及び放送の時間情報から、使用情報を入力された時点の時刻を取得する。そして、例えば一ヶ月間、曜日毎の２４時間を所定の時間帯（例えば３０分間隔）に区切り、区切られた時間帯毎に、使用情報に基づいて定まる使用回数（作動回数）を計数する。
使用情報には、例えばリモコン受光部２６が入力されるＴＶ受像機１（液晶表示部２）の作動（使用）又は作動停止（使用停止）の指示と、人感センサ２８及びＯＰＣセンサ２９から入力される検知信号、及びホームネットワーク等を介して外部入力部１１から入力される外部機器３３の使用又は不使用を示す情報（ＴＶ受像機１の使用推定情報：作動推定情報）とがある。
ＣＰＵ２７は、曜日及び時間帯毎に、計数した使用回数に応じてモード「０」、「１」、「２」を設定し、各モードが設定されたモードテーブルをメモリ２７ａに記憶する。
【００４５】
図３は、使用情報の受付を説明するための図である。
住居５０は、居間５１、浴室５２、及び書斎５３を備える。居間５１にはＴＶ受像機１が配置されており、壁には空調機５４が、天井には照明器具５５が取り付けられている。浴室５２の天井には照明器具５６が取り付けられている。書斎５３にはＰＣ５７が配置されており、天井には照明器具５８が取り付けられている。
【００４６】
ＴＶ受像機１と住居５０の各電気機器とは、上述したように、例えばＤＬＮＡ（Ｄｉｇｉｔａｌ Ｌｉｖｉｎｇ Ｎｅｔｗｏｒｋ Ａｌｌｉａｎｃｅ）という団体によりプロトコルが策定されているホームネットワークで接続されており、各電気機器のスイッチがオンされたこと等の情報がＣＰＵ２７に入力されるように構成されている。ＴＶ受像機１と各電気機器とはホームネットワークで接続されている場合に限定されるものではなく、例えば各電気機器は検出ユニットを介して電力を供給されるように構成されており、前記検出ユニットが各電気機器の電源オン又はオフを検知したという情報がＣＰＵ２７へ入力されるように構成してもよい。
また、ドア５９及び窓が施錠又は解錠されたこともＣＰＵ２７へ入力されるように構成されているが、ドア５９及び窓の施錠又は解錠は例えば磁気センサ等によって検出され、ＣＰＵ２７へ検出信号が入力されるようにしてもよく、住居５０にホームセキュリティーシステムが導入されている場合は、ホームセキュリティーシステムに備えられる監視カメラ等の装置によって施錠又は解錠が検出され、ＣＰＵ２７へ検出信号が入力されるように構成してもよい。
【００４７】
ＣＰＵ２７は、上述したように、入力された使用情報に基づいて３０分毎に使用回数を加算する。
まず、ＴＶ受像機１の使用又は使用停止の指示の情報と、使用回数とについて説明する。
３０分毎に区切ったある時間帯において、例えばＴＶ受像機１のメインスイッチがオンである場合にリモコン受光部２６がスイッチオン操作を受け付けたとき、ユーザによりＴＶ受像機１が使用されていることになり、リモコンのスイッチオフ操作を受け付けた場合、ユーザによりＴＶ受像機１の使用が停止されたことになる。ＣＰＵ２７は、入力日時をモードテーブルに記憶するとともに、前者の場合、前記時間帯における使用回数に「１」を加算し、後者の場合、前記時間帯における使用回数に「−１」を加算する。
【００４８】
次に、ＴＶ受像機１の使用推定情報と、ＴＶ受像機１の使用回数とについて説明する。
ある時間帯にＣＰＵ２７が人感センサ２８から入力された遠赤外線の検知信号からＴＶ受像機１の前に例えば１５分以上、ほとんど動かずに人が存在すると推定される場合、ＴＶ受像機１の使用が推定されるので、ＣＰＵ２７は前記時間帯における使用回数に「１」を加算する。そして、人の存在を検知しなかった場合、検知しても人が動かずに存在する時間が１０分以内である場合は前記使用回数に「−１」を加算する。
【００４９】
ＣＰＵ２７は、夜の時間帯等にＯＰＣセンサ２９により例えば１５分以上、所定値以上の明るさを検出した場合、前記使用回数に「１」を加算し、１５分以上は所定値以上の明るさを検出しなかった場合、前記使用回数に「−１」を加算する。
ある時間帯にユーザにより書斎５３に配置されたＰＣ５７のスイッチがオンされた場合、前記時間帯にＰＣ５７が使用されているので、ＴＶ受像機１は使用されていないと推定される。ＣＰＵ２７は、前記スイッチがオンされたという情報を受け付けた場合、前記使用回数に「−１」を加算する。
ある時間帯に居間５１に配置された空調機５４のスイッチがオンされた場合、前記時間帯にユーザによりＴＶ受像機１が使用されていると推定され、スイッチがオフされた場合、ＴＶ受像機１の使用が停止されたと推定される。ＣＰＵ２７は、ある時間帯に前記スイッチがオンされたという情報を受け付けた場合、使用回数に「１」を加算し、前記スイッチがオフされたという情報を受け付けた場合、使用回数に「−１」を加算する。
【００５０】
ある時間帯に浴室５２の照明器具５６のスイッチがオンされた場合、前記時間帯にＴＶ受像機１は使用されていないことになる。ＣＰＵ２７は、前記スイッチがオンされたという情報を受け付けた場合、使用回数に「−１」を加算する。
ある時間帯にドア５９及び窓が施錠され、かつ全ての部屋の照明器具の電源がオフである場合、前記時間帯にＴＶ受像機１は使用されていないことになる。ＣＰＵ２７は、ある時間帯にドア５９及び窓が施錠されという情報を受け付け、かつ全ての部屋の照明器具の電源がオフされたという情報を受け付けた場合、又はこの状態が保持されていると判断した場合、使用回数に「−１」を加算する。
なお、使用情報の内容は上述した場合に限定されるものではない。例えばＴＶ受像機１と別室に配置された録画装置等の使用情報も挙げられる。また、使用回数として「１」又は「−１」を加算する場合に限定されるものではなく、重み付けを行ってもよく、例えばリモコン受光部２６がスイッチオン操作を１回受け付けた場合等、「２」としてもよい。
【００５１】
図４は使用情報に基づく使用回数の計数を説明するための図である。
図４において、横軸は曜日毎に１日の時間帯を０〜２４時で示している。２４時間を４８等分した時間帯毎に、過去一ヶ月の間に計数した使用回数を表している。なお、使用回数が０以下である場合についてはグラフに表していない。
例えば、日曜日の午前０時から１時の間では、過去一ヶ月の間に、７回の操作指示を受け付けていることを示し、日曜日の午前８時から９時の間では、過去一ヶ月の間に、３回の操作指示を受け付けていることを示し、日曜日の午前９時から１０時の間では、過去一ヶ月の間に、４回の操作指示を受け付けていることを示す。
【００５２】
図５はモードテーブルの構成を示す説明図である。図５に示すように、モードテーブルは、曜日、時間帯、使用回数、モード、及び使用情報の入力日時などの各欄で構成されている。
ＣＰＵ２７は、曜日及び時間帯毎に使用情報に基づく使用回数の大小に応じて、モード「０」、「１」、「２」を設定する。例えば、選択するための閾値を「７」とした場合、図５に示すように、使用回数が「７」以上である時間帯についてはモード「２」とし、使用回数が「１」以上「７」未満である時間帯についてはモード「１」とし、使用回数が「０」以下である時間帯についてはモード「０」とする。
そして、モードが「０」であり、次の（３０分後）の時間帯がモード「２」である時間帯のモードは「２」に設定する。モードが「０」であり、次の時間帯がモード「１」である時間帯のモードは「１」に設定する。例えば月曜日の「５．５〜６．０」の時間帯、「１８．０〜１８．５」の時間帯がこれに相当する。「１８．５〜１９．０」の時間帯は次に時間帯がモード「２」であるので、モード「２」に設定する。以上のように設定することにより、使用時間帯の３０分前にクイック起動モードになり、使用時間帯におけるユーザのスイッチオン操作により直ちにフル稼働にして、映像を表示させることができる。また、使用時間帯の後は省電力のモード「０」に自動的に切り替えられるので、ユーザが電源を切り忘れていた場合に、無駄な電力を消費するのが抑制される。なお、推定時間帯の経過後、直ちにモード「０」にせず、モード「２」にした後、モード「０」にすることにしてもよい。
【００５３】
そして、ＣＰＵ２７は、モードテーブルに記録された使用情報の入力日時に基づいて、一ヶ月以上前に受け付けた使用情報を除外して使用回数を更新する。これにより、過去一ヶ月間の最新の使用状況を反映してモード設定を行うことができる。
【００５４】
以下に、ＣＰＵ２７によるＴＶ受像機１の給電制御の動作について説明する。
図６はＣＰＵ２７によるモード設定の処理手順を示すフローチャートである。
まず、ＣＰＵ２７は、クイック起動モードの初期設定要求があるか否かを判定する（Ｓ１１）。
ＣＰＵ２７は、初期設定の要求があると判定した場合（Ｓ１１：ＹＥＳ）、モードテーブルを初期化するために、全ての曜日、時間帯の使用回数を「０」に設定し（Ｓ１２）、全ての曜日、時間帯のモードを「０」（非クイック起動モード、すなわち、省電力モード）に設定する（Ｓ１３）。この場合、入力日時も「０」に設定する。
【００５５】
次に、ＣＰＵ２７は、使用情報を入力されたか否かを判定する（Ｓ１４）。ＣＰＵ２７は、使用情報を入力されていないと判定した場合（Ｓ１４：ＮＯ）、判定を繰り返す。初期設定の要求がない場合（Ｓ１１：ＮＯ）、ステップＳ１４以降の処理を続ける。
ＣＰＵ２７は、使用情報を入力されたと判定した場合（Ｓ１４：ＹＥＳ）、現在の曜日、日時を取得する（Ｓ１５）。そして、取得した曜日、時間に対応するモードテーブルの曜日、時間帯の使用回数に、上述した使用情報の内容に合わせて使用回数「１」又は「−１」を加算する（Ｓ１６）。このとき、ＣＰＵ２７は、使用情報を受け付けた入力日時も合わせてモードテーブルに記録する。
【００５６】
ＣＰＵ２７は、上述したようにモードを設定する（Ｓ１７）。すなわち、使用回数が「７」以上である時間帯についてはモード「２」とし、使用回数が「１」以上「７」未満である時間帯についてはモード「１」とし、使用回数が「０」以下である時間帯についてはモード「０」とする。そして、モードが「０」であり、次の時間帯がモード「１」又は「２」である時間帯のモードは「１」又は「２」に設定する。
【００５７】
ＣＰＵ２７は、設定したモードテーブルをメモリ２７ａに記憶する（Ｓ１８）。ＣＰＵ２７は、処理終了の要求があるか否かを判定する（Ｓ１９）。ＣＰＵ２７は処理終了の要求がないと判定した場合（Ｓ１９：ＮＯ）、ステップＳ１４以降の処理を続行する。
ＣＰＵ２７は処理終了の要求があると判定した場合（Ｓ１９：ＹＥＳ）、処理を終了する。
【００５８】
図７は、ＣＰＵ２７によるモードテーブル更新の処理手順を示すフローチャートである。
ＣＰＵ２７は、モードテーブルの曜日、時間帯を日曜日の午前０時から検索する（Ｓ３１）。
ＣＰＵ２７は、検索した時間帯に使用情報の入力日時の記録があるか否かを判定し（Ｓ３２）、入力日時の記録がないと判定した場合（Ｓ３２：ＮＯ）、ステップＳ３１の処理を続け、以降の時間帯、曜日に対して同様の処理を行う。
【００５９】
ＣＰＵ２７は、入力日時の記録があると判定した場合（Ｓ３２：ＹＥＳ）、現在日時と入力日時とを比較する（Ｓ３３）。なお、ある時間帯に入力日時の記録が複数ある場合（すなわち、使用回数が２以上である場合）、それぞれの入力日時に対して現在日時と比較する。
【００６０】
ＣＰＵ２７は、入力日時が現在日時より一ヶ月以上前であるか否かを判定し（Ｓ３４）、一ヶ月以上前であると判定した場合（Ｓ３４：ＹＥＳ）、使用回数から一ヶ月以上前である入力日時の使用回数だけ減算して、使用回数を更新する（Ｓ３５）。
【００６１】
ＣＰＵ２７は、処理終了の要求があるか否かを判定し（Ｓ３６）、処理終了の要求がないと判定した場合（Ｓ３６：ＮＯ）、ステップＳ３１以降の処理を続ける。処理終了の要求があると判定した場合（Ｓ３６：ＹＥＳ）、ＣＰＵ２７は処理を終了する。一方、入力日時が現在日時より一ヶ月以上前でないと判定した場合（Ｓ３４：ＮＯ）、ＣＰＵ２７は、ステップＳ３６以降の処理を続ける。
【００６２】
図８は、ＣＰＵ２７による電力供給の処理手順を示すフローチャートである。
ＣＰＵ２７は、現在の曜日、日時を取得し（Ｓ４１）、モードテーブルにアクセスして、取得した曜日、時間帯に対応する時間帯のモードを判定する（Ｓ４２）。
【００６３】
モードが「０」である場合（Ｓ４２：「０」）、ＣＰＵ２７は、外部入力部１１、ＲＡＭ２４、リモコン受光部２６、ＣＰＵ２７、人感センサ２８、ＯＰＣセンサ２９、タイマ３２のみに給電する（Ｓ４３）。
モードが「１」である場合（Ｓ４２：「１」）、ＣＰＵ２７は、デジタル放送の信号処理を行うための機能部へ給電する（Ｓ４４）。
モードが「２」である場合（Ｓ４２：「２」）、ＣＰＵ２７は、液晶表示部２及びスピーカ３以外の各機能部へ給電する（Ｓ４５）。
【００６４】
ＣＰＵ２７は、処理終了の要求があるか否かを判定し（Ｓ４６）、処理終了の要求がない場合（Ｓ４６：ＮＯ）、ステップＳ４１以降の処理を続ける。処理終了の要求がある場合（Ｓ４６：ＹＥＳ）、ＣＰＵ２７は処理を終了する。
【００６５】
図９は、ユーザの月曜日の平均的なＴＶ受像機１の使用状況を示すグラフである（図４、図５参照）。
ユーザは、０時から６時まで就寝しており、ＴＶ受像機１の主電源はオフである（時間区分Ａ）。
６時から８時までは朝食及び朝の支度をしており、ＴＶ受像機１の主電源はオンである（時間区分Ｂ）。
８時から１２時までは洗濯及び掃除等の家事全般をしており、ＴＶ受像機１の主電源はオフである（時間区分Ｃ）。
１２時から１４時までは昼食の準備をし、昼食を済ませた後、休憩しており、ＴＶ受像機１の主電源はオンである（時間区分Ｄ）。
１４時から１９時までは買い物等で外出しており、ＴＶ受像機１の主電源はオフである（時間区分Ｅ）。
１９時から２３時までは夕食の準備をし、夕食を済ませた後、休憩しており、ＴＶ受像機１の主電源はオンである（時間区分Ｆ）。
２３時から２４時までは入浴等しており、ＴＶ受像機１の主電源はオフである（時間区分Ｇ）。
【００６６】
図１０は、前記ユーザの月曜日の使用状況に基づいて得られたモードテーブルによりモード制御を行う場合の設定例（実施例）及び使用時間帯以外はクイック起動モードに設定する場合の設定例（比較例）を示すグラフである（図４、図５参照）。
図１０のグラフにおいて、横軸は１日の時間区分を０〜２４時で示しており、縦軸は消費電力量である。実施例の場合、時間区分ＡはＴＶ受像機１の不使用期間であるので、始めはモード「０」に設定しておき、使用期間である時間区分Ｂの３０分前の時間帯に相当する５時３０分にモード「２」に切り替える。６時前後にはユーザにより主電源のスイッチがオンされてモード「３」に切り替えられ、使用期間（時間区分Ｂ）となる。８時前にユーザの指示により主電源のスイッチがオフされ、又は８時にＣＰＵ２７により自動的にスイッチがオフされてモード「０」に切り替えられる（時間区分Ｃ）。これによりユーザがスイッチを切り忘れることによる無駄な電力の発生を抑制することができる。
【００６７】
そして、次の時間区分Ｄの３０分前の時間帯に相当する１１時３０分にモード「２」に切り替えられる。１２時前後にはユーザにより主電源のスイッチがオンされてモード「３」に切り替えられ、使用期間となる（時間区分Ｄ）。１４時前にユーザの指示により主電源のスイッチがオフされ、又は１４時にＣＰＵ２７により自動的にスイッチがオフされてモード「０」に切り替えられる（時間区分Ｅ）。さらに、次の時間区分Ｆの前の１８時にモード「１」に切り替えられ、１８時３０分にモード「２」に切り替える。１９時前後にはユーザにより主電源のスイッチがオンされてモード「３」に切り替えられ、使用期間となる（時間区分Ｆ）。２３時前にユーザの指示により主電源のスイッチがオフされ、又は２３時にＣＰＵ２７により自動的にスイッチがオフされてモード「０」に切り替えられる（時間区分Ｇ）。
【００６８】
図１０より、実施例の給電制御方法の場合、従来の給電制御方法である比較例のように、常時モード「２」に設定しておき、ユーザのリモコン操作によりモード「２」から「３」へ、モード「３」から「２」へ移行する場合と比較して、消費電力を大きく低減させることができることが分かる。そして、ＴＶ受像機１のスイッチオンの指示情報、及びＴＶ受像機１の使用又は不使用を推定する使用推定情報により使用時間帯を推定してモード制御を行うので、推定使用時間帯を実際の使用時間帯により近似させることができ、必要な場合にのみクイック起動モードにして、起動時間を短縮することができるとともに、良好に消費電力を抑制することができることが確認された。
そして、使用回数が低い場合、給電される機能部の数を減じて消費電力をより低減させることができ、使用回数が高い場合、給電される機能部の数を多くして起動時間をより短縮することができる。従って、ユーザのライフスタイルに合わせて作動待機状態と省電力状態とが設定されるため、ユーザの使用感が向上している。
【００６９】
なお、前記実施の形態においては、ユーザがＴＶ受像機１を主にデジタル放送番組の視聴に用いており、ＴＶ受像機１の使用又は不使用を、個別に電力供給可能な機能部である液晶表示部２の作動又は作動停止と捉え、モード「１」はデジタル放送信号の処理に必要な機能部への給電、モード「２」は液晶表示部２及びスピーカ３を除く残りの機能部への給電として説明したが、これに限定されるものではない。上述したように、クイック起動モードは２種類である場合には限定されない。そして、例えばユーザがＴＶ受像機１に内蔵される記録／再生部３１をよく使用する場合、記録／再生部３１及び液晶表示部２の作動情報に基づいてクイック起動モード及び省電力モード間の移行を制御すればよい。クイック起動モードで給電される機能部も記録／再生部３１の使用に必要な機能部への給電を優先する。
本発明が適用される電気機器はＴＶ受像機に限定されるものではなく、ＤＶＤレコーダ、ＢＤレコーダ等の録画装置、チューナを内蔵したＰＣ等の他の電気機器であってもよい。本発明が適用される電気機器に応じて、個別に電力供給可能な機能部品であって、クイック起動モード及び省電力モードを備えることにより、起動時間及び消費電力という観点でユーザの利便性が向上するものであれば、いずれの構成であってもよい。
【００７０】
そして、前記実施の形態においては、モード設定の時間帯として、３０分を単位として設定する構成につき説明したが、これに限定されるものではなく、１時間単位など他の時間帯であってもよい。
また、モード設定も時間帯毎に行う場合に限定されるものではなく、推定使用時間に基づいて、その開始時刻の例えば前後３０分、前後１時間等をクイック起動モードに設定する構成にしてもよい。
さらに、前記実施の形態では、一ヶ月以上経過した使用回数は、除外して使用回数を更新する構成であったが、これに限定されるものではなく、２カ月、半月、１週間など他の期間を用いてもよい。
【符号の説明】
【００７１】
１  ＴＶ受像機
２  液晶表示部
３  スピーカ
４  アナログ放送用アンテナ
５  アナログチューナ部
６  ＡＶスイッチ部
７  デジタル放送用アンテナ
８  デジタルチューナ部
９  デジタル復調部
１０  電気機器システム
１１  外部入力部
１２  ＩＰ放送チューナ部
１３  分離部（ＤＭＵＸ）
１４  ビデオデコード／キャプチャ部
１５  ビデオセレクタ部
１６  映像処理部
１７  合成部
１８  表示制御部
１９  ＥＰＧ／ＯＳＤ予約処理部
２０  選局部
２１  オーディオデコード部
２２  オーディオセレクタ部
２３  音声出力変換部
２４  ＲＡＭ
２５  通信制御部
２６  リモコン受光部
２７  ＣＰＵ
２７ａ  メモリ
２８  人感センサ
２９  ＯＰＣセンサ
３０  リモコン
３３  外部機器
５０  住居
５１  居間
５２  浴室
５３  書斎
５４  空調機
５５、５６、５８  照明器具
５７  ＰＣ
５９  ドア
【図１】
2011211864.tif 000003
【図２】
2011211864.tif 000004
【図３】
2011211864.tif 000005
【図４】
2011211864.tif 000006
【図５】
2011211864.tif 000007
【図６】
2011211864.tif 000008
【図７】
2011211864.tif 000009
【図８】
2011211864.tif 000010
【図９】
2011211864.tif 000011
【図１０】
2011211864.tif 000012